(57)【要約】【課題】専用のエアフィルタ交換口を形成することなく、有害物質の洩れを防止しながら、給排気口の開口部を介してエアフィルタを交換することができるエアフィルタの交換部構造を提供すること。【解決手段】ハウジング１に装着されたエアフィルタ２を給排気口の開口部３を介して交換するエアフィルタの交換部構造であって、給排気口の開口部３にグリル部６を着脱可能に配設するとともに、グリル部６を取り外した給排気口の開口部３に、周方向に複数の溝部４１を備えたエアフィルタ収容袋取付部４を着脱可能に配設する。【選択図】  図１
2004337685.tif 000002
【特許請求の範囲】
【請求項１】
ハウジングに装着されたエアフィルタを給排気口の開口部を介して交換するようにしたエアフィルタの交換部構造において、給排気口の開口部にグリル部を着脱可能に配設するとともに、グリル部を取り外した給排気口の開口部に、周方向に複数の溝部を備えたエアフィルタ収容袋取付部を着脱可能に配設するようにしたことを特徴とするエアフィルタの交換部構造。
【請求項２】
ハウジングに装着されたエアフィルタを給排気口の開口部を介して交換するエアフィルタの交換方法であって、前記開口部にエアフィルタ収容袋取付部を設けてフィルタ収容袋を取り付けるとともに、エアフィルタを取り外して該フィルタ収容袋内に収容した後、該フィルタ収容部分とフィルタ収容袋の残部との間を閉塞し、該閉塞部分を切断してフィルタ収容部分を分離除去し、次いで、交換用エアフィルタを収容したフィルタ収容袋を、エアフィルタ収容袋取付部に残ったフィルタ収容袋の残部を覆うようにエアフィルタ収容袋取付部に取り付け、該残部の閉塞部分を開いて、交換用エアフィルタをハウジング内に装着した後、フィルタ収容袋の残部をエアフィルタ収容袋取付部から取り外し、後から取り付けたフィルタ収容袋内に収容した後、該フィルタ収容袋をエアフィルタ収容袋取付部から取り外すことを特徴とするエアフィルタの交換方法。
【発明の詳細な説明】
【０００１】
【発明の属する技術分野】
本発明は、エアフィルタの交換部構造及びエアフィルタの交換方法に関し、特に、専用のエアフィルタ交換口を形成することなく、有害物質の洩れを防止しながら、排気側又は給気側の開口部（本明細書において、「給排気口の開口部」と総称する。）を介してエアフィルタを交換することができるエアフィルタの交換部構造及びエアフィルタの交換方法に関するものである。
【０００２】
【従来の技術】
病院や生物・化学研究施設等のバイオハザードやケミカルハザード等についての対策が必要とされる施設に用いられる空調機には、清浄度を維持するために、集塵能力に優れるＨＥＰＡ等のエアフィルタが採用されている。
【０００３】
一方、病院や生物・化学研究施設等のバイオハザードやケミカルハザード等についての対策が必要とされる施設に用いられる濾過装置の使用済のエアフィルタを交換する際には、ハウジングに設けたエアフィルタ交換口にエアフィルタ収容袋を予め取り付けておき、このエアフィルタ交換口に取り付けられたエアフィルタ収容袋によって有害物質の洩れを完全に防止しながら、エアフィルタを交換するエアフィルタの交換部構造が提案され、実用化されている。
【０００４】
【発明が解決しようとする課題】
しかしながら、上記の濾過装置のエアフィルタの交換部構造においては、エアフィルタ交換口をエアフィルタの吸い込み方向と直交するハウジングの側部に形成する必要があり、このため、床置き型や壁付け型の給排気口には実施できるとしても、例えば、天井埋め込み型の給排気口には実施することができないという問題があった。
【０００５】
本発明は、上記従来のエアフィルタの交換部構造の有する問題点に鑑み、専用のエアフィルタ交換口を形成することなく、有害物質の洩れを防止しながら、給排気口の開口部を介してエアフィルタを交換することができるエアフィルタの交換部構造及びエアフィルタの交換方法を提供することを目的とする。
【０００６】
【課題を解決するための手段】
上記目的を達成するため、本発明のエアフィルタの交換部構造は、ハウジングに装着されたエアフィルタを給排気口の開口部を介して交換するようにしたエアフィルタの交換部構造において、給排気口の開口部にグリル部を着脱可能に配設するとともに、グリル部を取り外した給排気口の開口部に、周方向に複数の溝部を備えたエアフィルタ収容袋取付部を着脱可能に配設するようにしたことを特徴とする。
【０００７】
また、本発明のエアフィルタの交換方法は、ハウジングに装着されたエアフィルタを給排気口の開口部を介して交換するエアフィルタの交換方法であって、前記開口部にエアフィルタ収容袋取付部を設けてフィルタ収容袋を取り付けるとともに、エアフィルタを取り外して該フィルタ収容袋内に収容した後、該フィルタ収容部分とフィルタ収容袋の残部との間を閉塞し、該閉塞部分を切断してフィルタ収容部分を分離除去し、次いで、交換用エアフィルタを収容したフィルタ収容袋を、エアフィルタ収容袋取付部に残ったフィルタ収容袋の残部を覆うようにエアフィルタ収容袋取付部に取り付け、該残部の閉塞部分を開いて、交換用エアフィルタをハウジング内に装着した後、フィルタ収容袋の残部をエアフィルタ収容袋取付部から取り外し、後から取り付けたフィルタ収容袋内に収容した後、該フィルタ収容袋をエアフィルタ収容袋取付部から取り外すことを特徴とする。
【０００８】
上記エアフィルタの交換部構造及びエアフィルタの交換方法は、専用のエアフィルタ交換口を形成することなく、有害物質の洩れを防止しながら、給排気口の開口部を介してエアフィルタを簡易に交換することができる。
【０００９】
【発明の実施の形態】
以下、本発明のエアフィルタの交換方法の実施の形態を図面に基づいて説明する。
【００１０】
図１〜図５に、本発明のエアフィルタの交換部構造及びエアフィルタの交換方法の１実施例を示す。
【００１１】
このエアフィルタの交換部構造は、例えば、病院や生物・化学研究施設等のバイオハザードやケミカルハザードについての中位又は低位レベルの対策が必要とされる施設に用いられる天井埋め込み型の給排気口に適用し、ハウジング１に装着されたエアフィルタ２を給排気口（本実施例においては排気側。空調機の形式等によって給気側の場合もあり、これを排除するものではない。）の開口部３を介して交換することができるようにしたもので、給排気口の開口部３にグリル部６を着脱可能に配設するとともに、グリル部６を取り外した給排気口の開口部３に、周方向に複数の溝部４１を備えたエアフィルタ収容袋取付部４を着脱可能に配設するようにしている。
【００１２】
そして、エアフィルタ２を交換するに際しては、給排気口の開口部３に筒状のエアフィルタ収容袋取付部４を装着し、エアフィルタ収容袋取付部４にフィルタ収容袋５を取り付けるとともに、エアフィルタ２をハウジング１から取り外し、フィルタ収容袋５内に収容した後、フィルタ収容部分５１とフィルタ収容袋の残部５２との間を閉塞し、閉塞部分５３を切断してフィルタ収容部分５１を分離除去する。
そして、交換用エアフィルタ２’を収容したフィルタ収容袋５’を別途用意し、フィルタ収容袋５’を、エアフィルタ収容袋取付部４に残ったフィルタ収容袋の残部５２を覆うようにエアフィルタ収容袋取付部４に取り付け、残部５２の閉塞部分５３を開いて、交換用エアフィルタ２’をハウジング１内に装着する。
【００１３】
このエアフィルタの交換方法を天井埋め込み型の給排気口に実施する場合を具体的に説明する。
図１（ａ）〜（ｄ）に示すように、給排気口のハウジング１の下部に形成された開口部３からグリル部６を取り外し、筒状のエアフィルタ収容袋取付部４をボルト等により取り付け、図２（ａ）〜（ｂ）に示すように、エアフィルタ収容袋取付部４にフィルタ収容袋５を取り付ける。
エアフィルタ収容袋取付部４は、図１（ｃ）に示すように、周方向の複数の溝部４１を備え、溝部４１に被せられたフィルタ収容袋５の口をＯリング７等で固定するようになっている。
【００１４】
次に、図２（ｂ）に示すように、フィルタ収容袋５の外から、このフィルタ収容袋５ごとエアフィルタ２をつかんでハウジング１から取り外し、図２（ｃ）に示すように、フィルタ収容袋５内に収容する。
そして、図３（ａ）に示すように、フィルタ収容部分５１とフィルタ収容袋の残部５２との間を閉塞し、図３（ｂ）（ｃ）に示すように、閉塞部分５３を切断してフィルタ収容部分５１を分離除去する。
この場合、フィルタ収容袋５の閉塞は、切断後のフィルタ収容部分５１と残部５２とが両方とも閉塞されるように、上下２箇所をひも８で結んだり、所要幅広く溶着したりする。
【００１５】
そして、図３（ｄ）に示すように、交換用エアフィルタ２’を収容した別のフィルタ収容袋５’を、エアフィルタ収容袋取付部４に残ったフィルタ収容袋の残部５２を覆うようにエアフィルタ収容袋取付部４に取り付け、次に、図４（ａ）〜（ｃ）に示すように、残部５２の閉塞部分５３を開いて、交換用エアフィルタ２’をハウジング１内に装着する。
【００１６】
次に、図４（ｄ）〜図５（ａ）に示すように、フィルタ収容袋の残部５２をエアフィルタ収容袋取付部４から取り外し、後から取り付けたフィルタ収容袋５’内に収容した後、フィルタ収容袋５’をエアフィルタ収容袋取付部４から取り外す。
これにより、フィルタ収容袋の残部５２に付着した有害物質の洩れを防止しながら廃棄することができる。なお、フィルタ収容袋５’は、汚染されていない場合には、再利用することができる。
そして、図５（ｂ）に示すように、ハウジング１の開口部３からエアフィルタ収容袋取付部４を取り外すとともに、開口部３にグリル部６を装着して作業が終了する。
【００１７】
ところで、フィルタ収容袋５、５’は、通常は、その上から上記各操作を行うことができるように、柔軟性を備えたポリエチレン樹脂等の合成樹脂製袋を用いるようにするが、さらに、フィルタ収容袋５、５’に、手を嵌め入れることができる手袋部を形成したり、付属品としての手袋部を装着することができるようにすることにより、操作性を向上することができる。
【００１８】
本実施例のエアフィルタの交換部構造及びエアフィルタの交換方法は、ハウジング１の給排気口の開口部３に筒状のエアフィルタ収容袋取付部４を装着し、エアフィルタ収容袋取付部４にフィルタ収容袋５を取り付けるとともに、エアフィルタ２を取り外してフィルタ収容袋５内に収容した後、フィルタ収容部分５１とフィルタ収容袋の残部５２との間を閉塞し、閉塞部分５３を切断してフィルタ収容部分５１を分離除去し、次いで、交換用エアフィルタ２’を収容したフィルタ収容袋５’を、エアフィルタ収容袋取付部４に残ったフィルタ収容袋の残部５２を覆うようにエアフィルタ収容袋取付部４に取り付け、残部５２の閉塞部分５３を開いて、交換用エアフィルタ２’をハウジング１内に装着することから、専用のエアフィルタ交換口を形成することなく、有害物質の洩れを防止しながら、給排気口の開口部３を介してエアフィルタ２を交換することができる。
また、フィルタ収容袋の残部５２をエアフィルタ収容袋取付部４から取り外し、後から取り付けたフィルタ収容袋５’内に収容した後、フィルタ収容袋５’をエアフィルタ収容袋取付部４から取り外すことにより、フィルタ収容袋の残部５２に付着した有害物質の洩れを防止しながら廃棄することができる。
そして、このエアフィルタの交換部構造及びエアフィルタの交換方法によれば、専用のエアフィルタ交換口を形成することなく、有害物質の洩れを防止しながら、給排気口の開口部を介してエアフィルタを簡易に交換することができることから、特に、簡易気密型のものに好適に用いることができる。
【００１９】
以上、本発明のエアフィルタの交換部構造及びエアフィルタの交換方法の実施例を説明したが、本発明の構成は、上記実施例の構成に限定されるものではなく、例えば、エアフィルタ収容袋取付部を、開口部に予め形成するようにしておく等、その趣旨を逸脱しない範囲において適宜に変更することが可能であり、また、その適用対象も、上記実施例の天井埋め込み型の給排気口のほか、床置き型や壁付け型の給排気口や空気清浄機にも適用することができるものである。
【００２０】
【発明の効果】
本発明のエアフィルタの交換部構造及びエアフィルタの交換方法によれば、専用のエアフィルタ交換口を形成することなく、有害物質の洩れを防止しながら、給排気口の開口部を介してエアフィルタを簡易に交換することができる。
そして、特に、給排気口の開口部にグリル部を着脱可能に配設するとともに、グリル部を取り外した給排気口の開口部に、周方向に複数の溝部を備えたエアフィルタ収容袋取付部を着脱可能に配設することにより、グリル部を取り付けるようにした給排気口の開口部近傍の構造を簡略化して、コストの低廉化を図ることがでできるとともに、デザインの自由度を高めることができる。
【図面の簡単な説明】
【図１】本発明のエアフィルタの交換方法の１実施例を示し、（ａ）は天井埋め込み型の給排気口の断面図、（ｂ）は第１工程図、（ｃ）はエアフィルタ収容袋取付部の２面図、（ｄ）は第２工程図である。
【図２】同実施例のエアフィルタの交換方法を示し、（ａ）は第２工程図、（ｂ）は第３工程図、（ｃ）は第４工程図である。
【図３】同実施例のエアフィルタの交換方法を示し、（ａ）は第５工程図、（ｂ）は第６工程図、（ｃ）は第７工程図、（ｄ）は第８工程図である。
【図４】同実施例のエアフィルタの交換方法を示し、（ａ）は第９工程図、（ｂ）は第１０工程図、（ｃ）は第１１工程図、（ｄ）は第１２工程図である。
【図５】同実施例のエアフィルタの交換方法を示し、（ａ）は第１３工程図、（ｂ）は第１４工程図である。
【符号の説明】
１    ハウジング
２    エアフィルタ
２’  交換用エアフィルタ
３    開口部
４    エアフィルタ収容袋取付部
４１  溝部
５    フィルタ収容袋
５１  フィルタ収容部分
５２  残部
５３  閉塞部分
５’  フィルタ収容袋
６    グリル部
７    Ｏリング
８    ひも
【図１】
2004337685.tif 000003
【図２】
2004337685.tif 000004
【図３】
2004337685.tif 000005
【図４】
2004337685.tif 000006
【図５】
2004337685.tif 000007